(57)【要約】【課題】  不正な設定変更を防止することができる遊技機の提供。【解決手段】  遊技機は、設定変更許可入力装置、設定変更入力装置、設定変更確定入力装置及び遊技開始許可入力装置以外の装置であって、遊技の設定変更に関わる装置である有効化入力装置と、表示部に所定の表示を表示させることにより、有効化入力装置の操作態様を視覚により報知するための報知装置とを備える。有効化入力装置の操作態様が報知装置の表示する指示に合致した場合には、入力操作装置の操作入力に基づいて設定変更に関する処理を行い、有効化入力装置の操作態様が報知装置の表示する指示と合致しない場合には、設定変更に関する処理を行わない。【選択図】図２
2006263209.tif 000002
【特許請求の範囲】
【請求項１】
正面側に開口する筐体と、
筐体の正面開口を閉塞可能かつ開閉自在とする前扉と、
遊技機の制御を行うための制御装置と、
遊技の設定を変更するために操作する入力操作装置とを少なくとも有する遊技機において、
前記入力操作装置として、
設定変更可能な状態にするための設定変更許可入力装置、
設定変更許可後に設定変更を行うための設定変更入力装置、
設定変更入力装置により入力した設定値を確定するための設定変更確定入力装置、
及び遊技の設定変更可能な状態を終了させ遊技可能な状態とするための遊技開始許可入力装置を備え、
前記遊技機は、前記設定変更許可入力装置、前記設定変更入力装置、前記設定変更確定入力装置及び前記遊技開始許可入力装置以外の装置であって、遊技の設定変更に関わる装置である有効化入力装置と、
表示部に所定の表示を表示させることにより、前記有効化入力装置の操作態様を視覚により報知するための報知装置とを備え、
前記制御装置は、前記入力操作装置及び前記有効化入力装置の入力に基づいて遊技の設定を変更するための設定変更手段と、前記報知装置の作動を制御するための報知制御手段とを備え、
前記設定変更手段は、前記有効化入力装置の操作態様が、前記報知装置の表示する指示に合致した場合には、前記入力操作装置の操作入力に基づいて設定変更に関する処理を行い、前記有効化入力装置の操作態様が、前記報知装置の表示する指示と合致しない場合には、設定変更に関する処理を行わないように形成されていることを特徴とする遊技機。
【請求項２】
前記報知装置は、操作態様として、前記有効化入力装置の操作のタイミングを報知するように形成されていることを特徴とする請求項１記載の遊技機。
【請求項３】
前記報知制御手段は、前記有効化入力装置の操作のタイミングを抽選により決定することを特徴とする請求項２記載の遊技機。
【請求項４】
前記報知装置は、操作態様として、前記有効化入力装置の操作の継続時間を報知するように形成されていることを特徴とする請求項２又は３記載の遊技機。
【請求項５】
前記報知装置は、筐体内部に設けられていることを特徴とする請求項１乃至４のいずれか１項に記載の遊技機。
【請求項６】
前記前扉は、その開閉を検知するための前扉開閉検知装置を備え、
前記設定変更手段は、前記入力操作装置の入力操作時に前記前扉開閉検知装置により前記前扉の開放が検知され、かつ、前記有効化入力装置の入力操作時にも前記前扉開閉検知装置により前記前扉の開放が検知された場合には、設定変更に関する処理を行い、それ以外の場合には、設定変更に関する処理を行わないように形成されていることを特徴とする請求項５項記載の遊技機。
【請求項７】
前記報知装置は、開閉により前記表示部を露出又は隠蔽可能なカバーを備え、
前記カバーは、前記前扉の略全開時に開放できるように形成されていることを特徴とする請求項５又は６記載の遊技機。
【請求項８】
前記カバーは、その開閉を検知するためのカバー開閉検知装置を備え、
前記設定変更手段は、前記入力操作装置の入力操作時に前記カバー開閉検知装置により前記カバーの開放が検知され、かつ、前記有効化入力装置の入力操作時にも前記カバー開閉検知装置により前記カバーの開放が検知された場合には、設定変更に関する処理を行い、それ以外の場合には、設定変更に関する処理を行わないように形成されていることを特徴とする請求項７記載の遊技機。
【発明の詳細な説明】
【技術分野】
【０００１】
本発明は、設定変更装置により遊技の仕様を複数段階に設定することができる遊技機に関するものである。
【背景技術】
【０００２】
従来、スロットマシンなどの遊技機においては、遊技の設定を変更する場合、すなわち、当選抽選において当選となる確率を異なるものとすることにより、そのスロットマシンが払い出し可能なメダル枚数を調節する場合には、筐体内部に設けられた設定変更装置を操作して行っていた。
前記設定は、例えば設定値１から設定値６までにランク分けされていて、この設定値の違いにより、当選役が当選する確率（当選確率）が異なるようになっている。例えば、設定値１よりも設定値６の方が、「あたり」となる確率が大きくなるように形成されているものである。
【０００３】
ここで、従来の遊技機としてスロットマシンを例に、設定を変更する場合の操作の一例を、図２を用いて説明する。なお、図２は本発明の実施の形態に係る電源ユニットの正面図であるが、従来のスロットマシンと共通している部分のみを説明に用いる。
従来のスロットマシンにおける設定変更のための操作は、図２に示す電源スイッチ63、設定キースイッチ62、設定変更スイッチ61及び、特に図示しないがスロットマシンのスタートスイッチを用いて行っていた。
前記電源スイッチ63は、スロットマシンの主電源の入切を行うためのものである。前記設定キースイッチ62は、スロットマシンを設定変更モードに切り替えるためのものであり、鍵穴を有していてここに所定のキーを差し込んで回すことによりスイッチを入切する。前記設定変更スイッチ61は、遊技の設定値を決定するためのもので、押圧する毎に設定値を変更可能に形成したものである。具体的には、スロットマシンが設定変更モードになっているときには、遊技時においては払い出し枚数などを表示する表示部に、設定値が表示されるようになる。そして、設定変更スイッチ61を押圧すると、設定値を示す数字が順次インクリメントされて表示される。
【０００４】
スタートスイッチは、遊技時には回転リールの回転を開始させるための操作スイッチとして機能するが、設定変更モード状態では、前記設定変更スイッチ61の操作により表示部に表示されている設定値を、そのスロットマシンの設定として確定させるため手段として機能する。
そして、設定変更操作は、以下のような手順で行う。
まず、電源スイッチ63をＯＦＦにし、設定キースイッチ62に所定のキーを差し込んでスイッチをＯＮにする。しかる後に、電源スイッチ63をＯＮにする。ここまでの操作により、スロットマシンの制御が、遊技モードから設定変更モードに切り替わる。次に、設定変更スイッチ61を押圧して、希望の設定値を表示部に表示させる。希望の設定値が表示されたら、スタートスイッチを一回押下する。この操作により、表示されていた設定値がそのスロットマシンの設定として確定する。その後、設定キースイッチ62をＯＦＦにしてキーを抜き取り、スロットマシンを遊技モードに戻す。このようにして設定変更作業を終了する。
【０００５】
この設定変更の操作は、通常は遊技場の管理者などが、開店前、閉店後などに行うものであるが、遊技中に遊技機の前扉を僅かに開き、針金などの不正器具を挿入して設定変更装置のスイッチを操作し、当選確率を不正に高めるという、いわゆる設定変更ゴトと呼ばれる不正行為が知られている。このような不正行為を防止するため、特許文献１に示すように、設定変更装置を遊技者の目に触れにくい場所に設ける発明がなされている。
【特許文献１】特開２００３−３３９９３８号公報
【発明の開示】
【発明が解決しようとする課題】
【０００６】
しかし、上述した特許文献１に記載された遊技機では、前扉を開けることができてしまえば、スイッチに触れることも可能であり、従来の単純なスイッチ操作による設定変更の方法では、いわゆる設定変更ゴトを十分に防止することができなかった。
そこで、本発明は、上述した問題点に鑑みてなされたものであり、その目的とするところは、設定変更ゴトを効果的に防止することができる遊技機を提供することである。
【課題を解決するための手段】
【０００７】
本発明の特徴点を、図面に示した発明の実施の形態を用いて、以下に説明する。
なお、括弧内の符号は、発明の実施の形態において用いた符号を示し、本発明の技術的範囲を限定するものではない。
（特徴点）
（請求項１）
請求項１記載の発明は、次の点を特徴とする。
すなわち、請求項１記載の発明は、正面側に開口する筐体(1)と、筐体(1)の正面開口を閉塞可能かつ開閉自在とする前扉(3)と、遊技機の制御を行うための制御装置(20)と、遊技の設定を変更するために操作する入力操作装置とを少なくとも有する遊技機に係る。
【０００８】
前記筐体(1)は、正面側に開口する箱型の筐体であり、内部には、制御装置(20)が少なくとも収納されている。遊技機としては、上記の他にも、表面に複数の図柄が表示された回転リールなどの図柄表示手段や、メダルなどの遊技媒体を払い出すための払い出し装置を有していてもよい。
前記前扉(3)は、ヒンジを介して筐体(1)の開口部(11)を開閉自在に取り付けられており、扉を閉めると遊技機の正面構造となるように形成されているものである。前扉(3)は、筐体(1)の開口上部(13)を塞ぐ上扉(30)と、開口下部(14)を塞ぐ下扉(40)とに分かれていてもよい。
【０００９】
前記制御装置(20)は、種々の電子部品を搭載したいわゆる制御基板であり、遊技に関する制御を行う遊技制御装置(20A)や、遊技に付随する演出を行わせるための演出制御装置(20B)を含む。
前記入力操作装置は、制御装置が遊技の設定を変更するために必要な外部入力を行うための装置であって、複数の操作スイッチとすることができる。この入力操作装置と、その他の設定変更操作を行うために必要な装置を含めて設定変更装置(60)を構成することができる。
ここで、遊技の設定について、スロットマシンを一例として説明すると、設定は、設定値１から設定値６までにランク分けされていて、この設定値の違いにより、当選役が当選する確率（当選確率）が異なるようになっている。例えば、設定値１よりも設定値６の方が、「あたり」となる確率が大きくなるように形成されているものである。当選確率が高ければ、当然入賞の可能性も増えるので、設定値を調整することにより、その遊技機の相対的払い出しメダルの量が変わってくる。
【００１０】
そして、本発明においては、前記入力操作装置として、設定変更可能な状態にするための設定変更許可入力装置（設定キースイッチ(62)及び電源スイッチ(63)）、設定変更許可後に設定変更を行うための設定変更入力装置（設定変更スイッチ(61)）、設定変更入力装置により入力した設定値を確定するための設定変更確定入力装置（スタートスイッチ(47)）、遊技の設定変更可能な状態を終了させ遊技可能な状態とするための遊技開始許可入力装置（設定キースイッチ(62)）を備えている。また、遊技機は、前記設定変更許可入力装置、前記設定変更入力装置、前記設定変更確定入力装置及び前記遊技開始許可入力装置以外の装置であって、遊技の設定変更に関わる装置である有効化入力装置(64)と、表示部に所定の表示を表示させることにより、前記有効化入力装置(64)の操作態様を視覚により報知するための報知装置(50)とを備えている。また、前記制御装置(20)は、前記入力操作装置及び前記有効化入力装置(64)の入力に基づいて遊技の設定を変更するための設定変更手段(110)と、前記報知装置(50)の作動を制御するための報知制御手段(100)とを備えている。
【００１１】
そして、前記設定変更手段(110)は、前記有効化入力装置(64)の操作態様が、前記報知装置(50)の表示する指示に合致した場合には、前記入力操作装置の操作入力に基づいて設定変更に関する処理を行い、前記有効化入力装置(64)の操作態様が、前記報知装置(50)の表示する指示と合致しない場合には、設定変更に関する処理を行わないように形成されていることを特徴とする。
ここで、前記各入力操作装置は、設定変更の各ステップ（設定変更許可、設定値変更、設定変更確定、遊技開始許可）を担当するスイッチが、ステップ毎にそれぞれ設けられていてもよく、複数のステップを担当可能な単一のスイッチが設けられていてもよい。あるいは、複数のスイッチ操作の組み合わせでひとつのステップを担当するように形成されていてもよい。さらに、「入力操作装置」には、設定変更時以外は他の機能を果たすもの（例えば、遊技時に回転リール(23)の回転を開始させるためのスタートスイッチ(47)）が含まれていても構わない。すなわち、「入力操作装置」は、すべてが筐体(1)の内部に設置されていなくてもよい。
【００１２】
前記有効化入力装置(64)は、前記設定変更許可入力装置、前記設定変更入力装置、前記設定変更確定入力装置及び前記遊技開始許可入力装置以外の装置であって、遊技の設定変更に関わる装置である。ここで、前記有効化入力装置(64)は、単一のスイッチから構成してもよく、複数のスイッチを組み合わせて構成してもよい。また、複数のスイッチ操作の組み合わせにより、前記有効化入力装置(64)の操作とするように形成されていてもよい。また、「有効化入力装置(64)」には、設定変更時以外は他の機能を果たすもの（例えば、貯留メダル数を減じてメダル投入に代えるためのベットスイッチ(45)）を用いてもよい。すなわち、「有効化入力装置(64)」は、筐体(1)の内部に設置されていなくてもよい。また、有効化入力装置(64)の「操作態様」としては、例えば操作のタイミング、操作の継続時間、操作の回数、あるいは複数のスイッチ操作の組み合わせなどが挙げられる。
【００１３】
前記報知装置(50)は、「表示部」を有しており、ここに、有効化入力装置(64)の操作態様の報知となり得る所定の指示表示を行うためのものである。この指示表示は、視覚によるものである。従って「表示部」は、例えば、報知ランプ(51)や、回胴表示装置(52)のように、視認することによりその表示を認識可能なものである。そして、「表示部」により表示される「指示表示」としては、報知ランプ(51)のランプを点灯、点滅させることや、回胴表示装置(52)の回転体を回転させて、有効化入力装置(64)の操作回数などを表示させることなどが挙げられる。また、「報知装置(50)」には、設定変更時以外は他の機能を果たすもの（例えば、遊技に付随する演出を行うための画像表示部(34)）が含まれていても構わない。すなわち、「報知装置(50)」は、筐体(1)の内部に設置されていなくてもよい。
【００１４】
なお、「設定変更に関する処理」とは、具体的には、設定変更許可入力装置による設定変更許可処理、設定変更入力装置による設定値変更処理、設定変更確定入力装置による設定変更確定処理、遊技開始許可入力装置による遊技開始許可処理を含むものである。
（作用）
本発明においては、遊技の設定変更を行う場合には、まず設定変更許可入力装置を操作して遊技機を設定変更モードにし、設定変更入力装置を操作して設定値を変更する。そして、設定変更確定入力装置を操作して変更された設定値を確定し、最後に遊技開始許可入力装置を操作して遊技機を遊技モードに戻す。これらの操作は、報知装置(50)が表示部に表示する指示に合わせて有効化入力装置(64)の操作を行った場合に、入力操作装置の操作に基づいて設定変更に関する処理が行われる。例えば、報知装置(50)としての報知ランプ(51)の点灯中に、有効化入力装置(64)としての有効化スイッチ(66)をスイッチ操作すると、入力操作装置の操作が有効なものとして扱われ、設定変更に関する処理が行われるように設定されている場合、報知ランプ(51)点灯時に有効化スイッチ(66)を操作せずに入力操作装置を操作しても、設定変更に関する処理が行われず、設定変更を行うことができない。
【００１５】
なお、報知装置(50)の指示に従った有効化入力装置(64)の操作をせずに、入力操作装置の操作が行われた場合には、エラー報知をさせるようにし、エラー報知の解除が行われなければ設定変更に関する処理が行われないようにしてもよい。
（請求項２）
請求項２記載の発明は、上記した請求項１記載の発明の特徴点に加え、次の点を特徴とする。
すなわち、請求項２記載の発明は、前記報知装置(50)は、操作態様として、前記有効化入力装置(64)の操作のタイミングを報知するように形成されていることを特徴とする。
【００１６】
「操作のタイミング」としては、例えば設定変更許可入力装置の入力操作の前、設定変更許可入力装置の入力操作と設定変更入力装置の入力操作との間、設定変更入力装置の入力操作と設定変更確定入力装置の入力操作との間、設定変更確定入力装置の入力操作と遊技開始許可入力装置の入力操作との間、遊技開始許可入力装置の入力操作の後、またはこれらの組み合わせなどが挙げられる。
設定変更確定入力装置の入力操作と遊技開始許可入力装置の入力操作との間のタイミングで有効化入力装置(64)を入力操作すべき旨の報知は、例えば、設定変更確定入力装置の入力操作と遊技開始許可入力装置の入力操作との間に行ってもよく、また、設定変更許可入力装置の入力操作の前に行ってもよい。つまり、設定変更確定入力装置の入力操作と遊技開始許可入力装置の入力操作との間に、今このタイミングで有効化入力装置(64)を操作するように報知を行ってもよく、また、設定変更許可入力装置の入力操作の前に、設定変更確定入力装置の入力操作と遊技開始許可入力装置の入力操作との間のタイミングで有効化入力装置(64)を操作するように、前もって報知を行うようにしてもよい。
【００１７】
なお、「有効化入力装置(64)の操作」は、設定変更モード中に１回操作するようにしてもよく、設定変更モード中に複数のタイミングで操作するようにしてもよい。
（作用）
遊技の設定変更を行う際、報知装置(50)が表示部に表示する指示に合わせて有効化入力装置(64)の操作を行った場合に、入力操作装置の操作に基づいて設定変更に関する処理が行われる。例えば、設定変更許可入力装置としての設定キースイッチ(62)及び電源スイッチ(63)を順次ＯＮにすると、報知装置(50)としての報知ランプ(51)が点灯し、報知ランプ(51)の点灯中に有効化入力装置(64)としての有効化スイッチ(66)をスイッチ操作すると、報知ランプ(51)が消灯し、入力操作装置の操作が有効なものとして扱われ、設定変更に関する処理が行われるように設定されている場合、報知ランプ(51)点灯時に、有効化スイッチ(66)を操作せずに入力操作装置を操作しても、設定変更に関する処理が行われず、設定変更を行うことができない。
【００１８】
（請求項３）
請求項３記載の発明は、上記した請求項２記載の発明の特徴点に加え、次の点を特徴とする。
すなわち、請求項３記載の発明は、前記報知制御手段は、前記有効化入力装置(64)の操作のタイミングを抽選により決定することを特徴とする。
前記有効化入力装置(64)の操作のタイミングは、抽選により決定される。つまり、前記有効化入力装置(64)の操作のタイミングは、前記報知装置(50)によりランダムに指示表示するように形成されている。例えば、あるときは設定変更許可入力装置の入力操作前に有効化入力装置(64)の操作を行うように指示表示したり、あるときは設定変更許可入力装置の入力操作後で、設定変更入力装置の入力操作前に有効化入力装置(64)の操作を行うように指示表示したり、あるときは設定変更入力装置の入力操作後で、設定変更確定入力装置の入力操作前に有効化入力操作装置の操作を行うように指示表示したり、あるときは設定変更確定入力装置の入力操作後で、遊技開始許可入力装置の入力操作前に有効化入力装置(64)の操作を行うように指示表示したり、あるときは遊技開始許可入力装置の入力操作後に有効化入力装置(64)の操作を行うように指示表示したりするように形成してもよい。また、抽選の契機は、設定変更ごと（例えば、設定変更許可入力装置の操作ごと）に行うようにしてもよく、１回の報知ごとに行ってもよい。
【００１９】
（作用）
本発明によれば、有効化入力装置(64)の操作を行うべきタイミングがランダムに決定され指示表示されるので、有効化入力装置(64)の操作のタイミングは一定ではなくなる。つまり、設定変更の操作手順が一定でなくなる。
（請求項４）
請求項４記載の発明は、上記した請求項２又は３記載の発明の特徴点に加え、次の点を特徴とする。
すなわち、請求項４記載の発明は、前記報知装置(50)は、操作態様として、前記有効化入力装置(64)の操作の継続時間を報知するように形成されていることを特徴とする。
【００２０】
ここで「操作の継続時間」は、予め固定的に設定されていてもよいし、抽選などにより、報知毎に決定されるようにしてもよい。
（作用）
本発明によれば、報知装置(50)の指示表示する時間を経過するまで、有効化入力装置(64)を操作し続けなければ、設定変更することができなくなる。
（請求項５）
請求項５記載の発明は、上記した請求項１乃至４のいずれか１項に記載の発明の特徴点に加え、次の点を特徴とする。
【００２１】
すなわち、請求項５記載の発明は、前記報知装置(50)は、筐体(1)内部に設けられていることを特徴とする。
（作用）
報知装置(50)は筐体(1)の内部に設けられているので、報知装置(50)の表示部を視認するためには、前扉(3)を開かなければならない。
（請求項６）
請求項６記載の発明は、上記した請求項５記載の発明の特徴点に加え、次の点を特徴とする。
【００２２】
すなわち、請求項６記載の発明は、前記前扉(3)は、その開閉を検知するための前扉開閉検知装置(68)を備え、前記設定変更手段は、前記入力操作装置の入力操作時に前記前扉開閉検知装置(68)により前記前扉(3)の開放が検知され、かつ、前記有効化入力装置(64)の入力操作時にも前記前扉開閉検知装置(68)により前記前扉(3)の開放が検知された場合には、設定変更に関する処理を行い、それ以外の場合には、設定変更に関する処理を行わないように形成されていることを特徴とする。
「それ以外の場合」とは、例えば、前記入力操作装置の入力操作時には前記前扉開閉検知装置(68)により前記前扉(3)の開放が検知されたが、前記有効化入力装置(64)の入力操作時には前記前扉開閉検知装置(68)により前記前扉(3)の開放が検知されない場合や、前記有効化入力装置(64)の入力操作時には前記前扉開閉検知装置(68)により前記前扉(3)の開放が検知されたが、前記入力操作装置の入力操作時には前記前扉開閉検知装置(68)により前記前扉(3)の開放が検知されない場合や、前記入力操作装置の入力操作時に前記前扉開閉検知装置(68)により前記前扉(3)の開放が検知されず、前記有効化入力装置(64)の入力操作時にも前記前扉開閉検知装置(68)により前記前扉(3)の開放が検知されない場合などが挙げられる。
【００２３】
そして、前扉開閉検知装置(68)を設ける位置により、前扉(3)が僅かに開いただけでは、前記入力操作装置及び有効化入力装置(64)の入力操作が有効とならないようにすることもできる。
（作用）
前記入力操作装置の入力操作時に前記前扉開閉検知装置(68)により前記前扉(3)の開放が検知され、かつ、前記有効化入力装置(64)の入力操作時にも前記前扉開閉検知装置(68)により前記前扉(3)の開放が検知された場合には、前記入力操作装置及び前記有効化入力装置(64)の入力操作が有効なものとして扱われ、設定変更に関する処理が行われる。
【００２４】
また、前記入力操作装置の入力操作時には前記前扉開閉検知装置(68)により前記前扉(3)の開放が検知されたが、前記有効化入力装置(64)の入力操作時には前記前扉開閉検知装置(68)により前記前扉(3)の開放が検知されない場合には、前記入力操作装置及び前記有効化入力装置(64)の入力操作が有効なものとして扱われず、設定変更に関する処理が行われない。
また、前記入力操作装置の入力操作時には前記前扉開閉検知装置(68)により前記前扉(3)の開放が検知されたが、前記有効化入力装置(64)の入力操作時には前記前扉開閉検知装置(68)により前記前扉(3)の開放が検知されない場合には、前記入力操作装置及び前記有効化入力装置(64)の入力操作が有効なものとして扱われず、設定変更に関する処理が行われない。
【００２５】
また、前記入力操作装置の入力操作時に前記前扉開閉検知装置(68)により前記前扉(3)の開放が検知されず、前記有効化入力装置(64)の入力操作時にも前記前扉開閉検知装置(68)により前記前扉(3)の開放が検知されない場合には、前記入力操作装置及び前記有効化入力装置(64)の入力操作が有効なものとして扱われず、設定変更に関する処理が行われない。
（請求項７）
請求項７記載の発明は、上記した請求項５又は６記載の発明の特徴点に加え、次の点を特徴とする。
【００２６】
すなわち、請求項７記載の発明は、前記報知装置(50)は、開閉により前記表示部を露出又は隠蔽可能なカバー(65)を備え、前記カバー(65)は、前記前扉(3)の略全開時に開放できるように形成されていることを特徴とする。
ここで、「略全開」とは、前扉(3)を限界まで開いた状態の八割程度までの開放状態を含むものである。
カバー(65)は、前扉(3)を略全開しないと開かないように形成されている。そして、カバー(65)は、開くと「表示部」を正面側から視認でき、閉じると「表示部」を隠蔽できるように形成されていればよく、その形態は問わない。例えば「表示部」の近傍に設けられた縦方向の回転軸に沿って回動自在な板状の蓋とすることができる。
【００２７】
（作用）
本発明によれば、前扉(3)を略全開しないと、カバーが開かないので、前記報知装置(50)の表示部が見えない。そのため、前記報知装置(50)の表示する指示に合致した前記有効化入力装置(64)の操作を行うことができなくなる。
（請求項８）
請求項８記載の発明は、上記した請求項７記載の発明の特徴点に加え、次の点を特徴とする。
すなわち、請求項８記載の発明は、前記カバー(65)は、その開閉を検知するためのカバー開閉検知装置(69)を備え、前記設定変更手段は、前記入力操作装置の入力操作時に前記カバー開閉検知装置(69)により前記カバー(65)の開放が検知され、かつ、前記有効化入力装置(64)の入力操作時にも前記カバー開閉検知装置(69)により前記カバー(65)の開放が検知された場合には、設定変更に関する処理を行い、それ以外の場合には、設定変更に関する処理を行わないように形成されていることを特徴とする。
【００２８】
「それ以外の場合」とは、例えば、前記入力操作装置の入力操作時には前記カバー開閉検知装置(69)により前記カバー(65)の開放が検知されたが、前記有効化入力装置(64)の入力操作時には前記カバー開閉検知装置(69)により前記カバー(65)の開放が検知されない場合や、前記有効化入力装置(64)の入力操作時には前記カバー開閉検知装置(69)により前記カバー(65)の開放が検知されたが、前記入力操作装置の入力操作時には前記カバー開閉検知装置(69)により前記カバー(65)の開放が検知されない場合や、前記入力操作装置の入力操作時に前記カバー開閉検知装置(69)により前記カバー(65)の開放が検知されず、前記有効化入力装置(64)の入力操作時にも前記カバー開閉検知装置(69)により前記カバー(65)の開放が検知されない場合などが挙げられる。
【００２９】
そして、カバー開閉検知装置(69)を設ける位置により、カバー(65)が僅かに開いただけでは、前記入力操作装置及び有効化入力装置(64)の入力操作が有効とならないようにすることもできる。
（作用）
前記入力操作装置の入力操作時に前記カバー開閉検知装置(69)により前記カバー(65)の開放が検知され、かつ、前記有効化入力装置(64)の入力操作時にも前記カバー開閉検知装置(69)により前記カバー(65)の開放が検知された場合には、前記入力操作装置及び前記有効化入力装置(64)の入力操作が有効なものとして扱われ、設定変更に関する処理が行われる。
【００３０】
また、前記入力操作装置の入力操作時には前記カバー開閉検知装置(69)により前記カバー(65)の開放が検知されたが、前記有効化入力装置(64)の入力操作時には前記カバー開閉検知装置(69)により前記カバー(65)の開放が検知されない場合には、前記入力操作装置及び前記有効化入力装置(64)の入力操作が有効なものとして扱われず、設定変更に関する処理が行われない。
また、前記入力操作装置の入力操作時には前記カバー開閉検知装置(69)により前記カバー(65)の開放が検知されたが、前記有効化入力装置(64)の入力操作時には前記カバー開閉検知装置(69)により前記カバー(65)の開放が検知されない場合には、前記入力操作装置及び前記有効化入力装置(64)の入力操作が有効なものとして扱われず、設定変更に関する処理が行われない。
【００３１】
また、前記入力操作装置の入力操作時に前記カバー開閉検知装置(69)により前記カバー(65)の開放が検知されず、前記有効化入力装置(64)の入力操作時にも前記カバー開閉検知装置(69)により前記カバー(65)の開放が検知されない場合には、前記入力操作装置及び前記有効化入力装置(64)の入力操作が有効なものとして扱われず、設定変更に関する処理が行われない。
【発明の効果】
【００３２】
（請求項１）
請求項１記載の発明によれば、以下のような効果を奏する。
すなわち、報知装置の表示部を視認し、前記報知装置の指示表示に従った操作態様で有効化入力装置の操作をしなければ、入力操作装置の操作が有効な操作として扱われず、設定変更を行うことができない。そのため、設定変更の操作に手間がかかり、従来の設定変更操作に比べて時間を要するので、設定変更ゴトを効果的に防止することができる。
（請求項２）
請求項２記載の発明によれば、上記した請求項１記載の発明の効果に加え、以下のような効果を奏する。
【００３３】
すなわち、報知装置の表示部を視認し、前記報知装置の指示表示に従ったタイミングで有効化入力装置の操作をしなければ、入力操作装置の操作が有効な操作として扱われず、設定変更を行うことができない。そのため、設定変更の操作に手間がかかり、従来の設定変更操作に比べて時間を要するので、設定変更ゴトを効果的に防止することができる。
（請求項３）
請求項３記載の発明によれば、上記した請求項２記載の発明の効果に加え、以下のような効果を奏する。
すなわち、有効化入力装置の操作を行うべきタイミングがランダムに決定され指示表示されるので、有効化入力装置の操作のタイミングは一定ではなくなる。つまり、設定変更の操作手順が一定でなくなる。そのため、設定変更ゴトを効果的に防止することができる。
【００３４】
（請求項４）
請求項４記載の発明によれば、上記した請求項２又は３記載の発明の効果に加え、以下のような効果を奏する。
すなわち、報知装置の指示表示する時間を経過するまで、有効化入力装置を操作し続けなければ、設定変更することができなくなる。そのため、設定変更の操作に手間がかかり、従来の設定変更操作に比べて時間を要するので、設定変更ゴトを効果的に防止することができる。
（請求項５）
請求項５記載の発明によれば、上記した請求項１乃至４のいずれか１項に記載の発明の効果に加え、以下のような効果を奏する。
【００３５】
すなわち、報知装置は筐体の内部に設けられているので、報知装置の表示部を視認するためには、前扉を開かなければならない。そのため、前扉を僅かに開けて入力操作装置及び有効化入力装置を操作することができないので、設定変更ゴトを効果的に防止することができる。
（請求項６）
請求項６記載の発明によれば、上記した請求項５記載の発明の効果に加え、以下のような効果を奏する。
すなわち、前扉が開いていることを、前扉開閉検知装置が検知しないと、前記入力操作装置及び前記有効化入力装置の入力操作は有効なものとして扱われず、設定変更を行うことができないようになる。そのため、前扉を僅かに開けて入力操作装置及び有効化入力装置を操作することができないので、設定変更ゴトを効果的に防止することができる。
【００３６】
（請求項７）
請求項７記載の発明によれば、上記した請求項５又は６記載の発明の効果に加え、以下のような効果を奏する。
すなわち、前扉を略全開しないと、カバーが開かないので、前記報知装置の表示部が見えない。そのため、前記報知装置の表示する指示に合致した前記有効化入力装置の操作を行うことができず、設定変更ゴトを効果的に防止することができる。
（請求項８）
請求項８記載の発明によれば、上記した請求項７記載の発明の効果に加え、以下のような効果を奏する。
【００３７】
すなわち、カバーが開いていることを、カバー開閉検知装置が検知しないと、前記入力操作装置及び前記有効化入力装置の入力操作は有効なものとして扱われず、設定変更を行うことができないようになる。そのため、設定変更ゴトを効果的に防止することができる。
【発明を実施するための最良の形態】
【００３８】
本発明の好適な実施の形態を、遊技機としてスロットマシンを例に、図面に基づき説明する。
（図面の説明）
図１乃至図７は、本発明の実施の形態を示すものである。
図１はスロットマシンＳを示す分解斜視図、図２は電源ユニット4を示す平面図及び正面図、図３は電源ユニット4を示す斜視図、図４は制御装置20の入力及び出力の概略を示すブロック図、図５及び図６は設定変更処理を示すフロー、図７は報知処理を示すフローである。
【００３９】
本実施の形態におけるスロットマシンＳは、図１に示すように、大きく分けて、正面側に開口部11を有する筐体1、筐体1内部に着脱自在に設けられる交換ユニット2、筐体1の開口部11を開閉可能に塞ぐ前扉3とから構成されており、さらにこの前扉3は、筐体1の開口上部13を開閉可能に塞ぐ上扉30、筐体1の開口下部14を開閉可能に塞ぐ上扉30とから構成されている。
（筐体1）
筐体1は、底板15、側板16、天板及び裏板からなる正面側に開口する箱であり、高さ方向略中央部には、二つの側板16の間に水平方向に中板12が設けられている。そして、底板15には電源ユニット4及びホッパーユニット5が載置されている。また、上記側板16の正面左側には、下扉40を係合させ、回転自在に支持するためのヒンジが設けられている。
【００４０】
ここで、電源ユニット4は、特に図示しないが電源装置が内装されていると共に、正面側にはスロットマシンＳの主電源を入れるための電源スイッチ63等よりなる店操作部200を有している。店操作部200は、スロットマシンＳの設定変更をする際の設定変更装置60として機能するものであるが、これについては後述する。電源ユニット4及びホッパーユニット5は、交換ユニット2の交換に際し、必ずしも交換する必要のないものであり、交換時には筐体1に設置されたままにしておけるようになっているものである。
（交換ユニット2）
交換ユニット2は、種々の部品を設置あるいは固定するための支持体21と、この支持体21に固定されたリールユニット22及び基板ユニット24とから形成されている。また、前記支持体21の正面縦枠には、上扉30を係合させ、回転自在に支持するためのヒンジが設けられている。
【００４１】
ここで、リールユニット22は、周囲に複数の図柄を表示した複数の回転リール23と、特に図示しないが、回転リール23を回転させるための駆動モータを有している。また、前記基板ユニット24は、特に図示しないが、基板ケースに電子基板を内装したものであり、スロットマシンＳの遊技及び演出を制御するための制御装置20として機能する。
交換ユニット2は、筐体1の中板12の上に乗せ、開口上部13内部に収納されるものである。そして、固定装置10により筐体1に固着される。
（上扉30）
上扉30は、交換ユニット2の支持体21に回転自在かつロック可能に形成されている板状の扉であり、略中央部に前記回転リール23の図柄を正面側から見ることができる図柄表示窓31を有し、図柄表示窓31の周囲には、報知などを行うためのランプ33が形成されている。そして、図柄表示窓31の下方には、７セグメント表示器や液晶表示装置を用いて、遊技に関する数字その他を表示するための数値表示部32が設けられている。さらに、図柄表示窓31の上方には、液晶表示装置やＣＲＴ、ドットマトリックスなどを用いて遊技に付随する演出を行うための画像表示部34が設けられている。
【００４２】
なお、特に図示しないが、上扉30の裏面には、前記支持体21に設けられたヒンジに係合可能な上扉係合部が上下方向に間隔をおいて二つ設けられており、上扉係合部の対向側には、ロック機構が設けられている。そして、交換ユニット2を筐体1に収納固定した状態で上扉30を閉めロックすることにより、筐体1の開口上部13を密閉することができるものである。
なお、上扉30を筐体1の側板16に取り付けるように形成してもよい。
（下扉40）
下扉40は、筐体1の開口下部14を塞ぐための、上扉30よりも幅厚の扉であり、筐体1の側板16に回転自在かつロック可能に形成されているものである。
【００４３】
下扉40の上部は、スロットマシンを作動させるための操作部となっており、下扉40の上面は、閉扉時においては、上扉30よりも前側に突出するようになっている。
ここで、前記操作部としては、図１に示すように、遊技メダルを投入するためのメダル投入口42、メダル投入口42の下方に内蔵され投入された遊技メダルを検知するための投入スイッチ41、貯留メダル数を減じてメダル投入に代えるためのベットスイッチ45、貯留した投入メダルを払い出すための精算スイッチ46、回転リール23の回転を開始させるためのスタートスイッチ47、回転リール23の回転を停止させるためのストップスイッチ48が設けられている。
【００４４】
また、下扉40の下部には払い出されたメダルを溜めておくためのメダル受け皿43が形成されており、前記操作部とメダル受け皿43との間には、遊技内容その他の表示をするための表示パネルが取り付けられている。下扉40の上部右端には、鍵穴44が設けられている。鍵穴44は、前扉3を解錠するためのものであり、この穴に所定の鍵を差し込んで回すと、下扉40のロックが解除されるものである。そして、下扉40が解錠されることにより、上扉30も解放可能に形成されている。
さらに、特に図示しないが、下扉40の裏面側には、前記メダル投入口42から投入されたメダルを誘導しながらメダルの正偽を判断するためのメダルセレクターが設けられている。そして、下扉40の裏面下部の左右には、種々の音声を出力するためのスピーカ35が設けられている。また、特に図示しないが、下扉40の裏面には、筐体1に設けられたヒンジと係合可能な下扉係合部が上下方向に間隔をおいて二つ設けられており、下扉係合部の対向側には、ロック機構が設けられている。
【００４５】
また、特に図示しないが、筐体1の所定の位置には、前扉3を構成する下扉40の開閉を検知するための前扉開閉検知装置68が設けられている。この前扉開閉検知装置68は、下扉40が予め定められた角度だけ開いた場合に、下扉40の開放を検知するようになっている。また、この前扉開閉検知装置68が開放を検知する際の下扉40の回動角度は、下扉40の裏面（閉じたとき報知装置50と対向する面）が電源ユニット4の正面と平行な状態から、電源ユニット4の正面に対して直角若しくは鈍角となる位置まで回動する程度とするのが好ましい。そして、入力操作装置の入力操作時に、この前扉開閉検知装置68により下扉40の開放が検知され、かつ、有効化スイッチ66の入力操作時に、この前扉開閉検知装置68により下扉40の開放が検知された場合には、入力操作装置及び有効化スイッチ66の入力操作が有効なものとして扱われて、設定変更に関する処理が行われる。それ以外の場合には、入力操作装置や有効化スイッチ66の入力操作は有効なものとして扱われず、設定変更に関する処理は行われないようになっている。
【００４６】
（設定変更装置60）
設定変更装置60は、スロットマシンＳの遊技の設定変更を行う場合の操作に関する装置である。本実施の形態においては、有効化スイッチ66の操作態様が、報知装置50の表示する指示に合致した場合には、入力操作装置の操作入力に基づいて設定変更に関する処理を行い、有効化スイッチ66の操作態様が、報知装置50の表示する指示と合致しない場合には、設定変更に関する処理を行わないように形成されている。
ここで、スロットマシンＳの遊技の設定は、設定値１から設定値６までにランク分けされていて、設定値の違いにより、当選役が当選する確率（当選確率）が異なるようになっている。例えば、設定値１よりも設定値６の方が、「あたり」となる確率が大きくなるように形成されているものである。具体的には、当選確率が高ければ、当然入賞の可能性も増えるので、設定値を調整することにより、その遊技機の相対的払い出しメダルの量が変わってくる。
【００４７】
設定変更装置60は、図２（Ｂ）に示すように、電源ユニット4の店操作部200等に設けられた操作スイッチ及び表示部であり、以下の構成を有する。
（１）設定変更スイッチ61
（２）設定キースイッチ62
（３）電源スイッチ63
（４）設定変更確定スイッチ（スタートスイッチ47）
（５）有効化スイッチ66
（６）報知装置50
（設定変更スイッチ61）
設定変更スイッチ61は、設定変更入力装置であって、スロットマシンＳの遊技の設定を変更するためのスイッチである。具体的には、押しボタン式のスイッチであり、スイッチを押圧する毎に設定値が変更されるように形成されている。なお、変更された設定値は、上扉30の数字表示部32に表示されるようにすることができるが、設定変更スイッチ61の近傍に別の表示部を設けてもよいものである。あるいは、設定変更スイッチ61をダイヤル式又はスライド式のスイッチに形成し、設定値の表示された目盛りにつまみを合わせることにより、設定がその数値に変更されるように形成してもよい。
【００４８】
（設定キースイッチ62）
設定キースイッチ62は、前記設定変更スイッチ61による設定変更を可能な状態とするためのスイッチであり、鍵穴にキーを差し込んで回転させることでＯＮ、ＯＦＦの切り替えができるようになっている。そして、この設定キースイッチ62がＯＮとなっていなければ、設定変更スイッチ61による設定変更ができない。
具体的には、設定キースイッチ62をＯＮとすることにより、スロットマシンＳが遊技モードから設定変更モードに切り替わり、その後の電源スイッチ63ＯＮにより、設定変更スイッチ61の操作で数字表示部32に設定値の表示がされたり、設定変更スイッチ61が物理的に作動可能となったりするように形成されている。すなわち、設定キースイッチ62は、設定変更許可入力装置として機能する。
【００４９】
さらに、設定変更確定後、設定キースイッチ62をＯＦＦとすることにより、スロットマシンＳが設定変更モードから遊技モードに切り替わる。すなわち、設定キースイッチ62は、遊技開始許可入力装置としても機能する。
（電源スイッチ63）
電源スイッチ63は、スロットマシンＳの主電源を入れるためのものであるが、設定変更時においては、設定変更許可入力装置としても機能する。具体的には、電源スイッチ63をＯＦＦとした後、前記設定キースイッチ62をＯＮにし、その後電源スイッチ63をＯＮとすることにより、設定変更操作を行うことができるようになっている。
【００５０】
（設定変更確定スイッチ）
ここで、本実施の形態においては、設定変更スイッチ61により変更した設定値をスロットマシンＳの遊技の設定として確定させるための、設定変更確定入力装置としての設定変更確定スイッチを、スタートスイッチ47と兼用させている。すなわち、スロットマシンＳが設定変更モードになっている場合には、設定変更スイッチ61の操作後、スタートスイッチ47を操作することにより、設定変更が確定するようになっているものである。
なお、店操作部200に、設定変更確定スイッチとしての専用スイッチを設けても構わない。
【００５１】
（有効化スイッチ66）
有効化スイッチ66は、有効化入力装置64として機能するものである。また、有効化入力装置64は、設定変更許可入力装置、設定変更入力装置、設定変更確定入力装置、及び遊技開始許可入力装置以外の装置であって、遊技機の設定変更に関わる装置である。具体的には、本実施の形態では、有効化入力装置64としての有効化スイッチ66は、押しボタン式のスイッチである。報知装置50の表示する指示に合致するように、有効化スイッチ66の操作が行われた場合には、入力操作装置の操作入力に基づいて、設定変更に関する処理が行われる。
【００５２】
ここで、前記有効化スイッチ66は、単一のスイッチから構成してもよく、複数のスイッチを組み合わせて構成してもよい。また、複数のスイッチ操作の組み合わせにより、前記有効化入力装置64の操作とするように形成されていてもよい。また、有効化入力装置64をダイヤル式又はスライド式のスイッチ等に形成し、報知装置50の指示表示に従って入力操作を行うように形成してもよい。また、前記有効化スイッチ66には、設定変更時以外は他の機能を果たすもの（例えば、貯留メダル数を減じてメダル投入に代えるためのベットスイッチ45）と兼用させることもできる。すなわち、前記有効化スイッチ66は、筐体1の内部に設置されていなくてもよい。
【００５３】
また、有効化スイッチ66の「操作態様」としては、操作のタイミング、操作の継続時間、操作の回数、複数のスイッチ操作の組み合わせなどが挙げられる。
（報知装置50）
報知装置50は、表示部に所定の表示を表示させることにより、有効化入力装置64としての有効化スイッチ66の操作態様を視覚的に報知するためのものである。
具体的には、報知装置50は、図２（Ｂ）に示すように、表示部としての報知ランプ51と、報知ランプ51を覆い隠すことができるカバー65とを有している。
報知ランプ51は、縦に並んだ３つのランプから成り、上から順に大ランプ51A、中ランプ51B、小ランプ51Cが設けられている。この報知ランプ51は、後述する報知制御手段100の制御により、点滅するように形成されている。設定変更を行う者が、この点滅のタイミングに合わせて有効化スイッチ66の操作を行うと、有効化入力装置64の操作態様が報知装置50の表示する指示に合致したと判断されて、設定変更に関する処理が行われ、一方、この点滅のタイミングに合わせて有効化スイッチ66の操作を行わないと、有効化入力装置64の操作態様が報知装置50の表示する指示と合致しないと判断されて、設定変更に関する処理が行われずに、エラー扱いとなる。
【００５４】
なお、報知装置50は、報知ランプ51を単数設けるようにしてもよい。また、報知装置50の「表示部」としては、前記報知ランプ51に限られない。例えば、図３（Ｂ）に示すように、ドラム状の回転体の表面に、有効化スイッチ66の操作回数などの表示がなされている回胴表示装置52を設けてもよい。そして、正面側に表示される表示に合わせて有効化スイッチ66の入力操作を行うように形成してもよいものである。この他にも、有効化スイッチ66の操作態様を視覚で認識可能な形態であれば、どのような表示部を設けても構わない。
カバー65は、電源ユニット4の外箱に、報知ランプ51の側方に設けられた回転軸67を中心に水平方向に回動可能に取り付けられた遮蔽部材であり、報知ランプ51を正面側から被覆可能な正面板65aと、正面板65aの上端部に形成された扇形の上覆蓋板65bと、正面板65aの下端部に形成された扇形の下覆蓋板65cとから構成されている。そして、カバー65は、正面板65aが報知ランプ51を正面側から被覆している状態（閉じた状態）では、上覆蓋板65b及び下覆蓋板65cは電源ユニット4の外箱内部に収納され（図２（Ａ）の二点差線参照）、正面板65aが報知ランプ51を正面側から視認可能な位置にある状態（開いた状態）では、上覆蓋板65b及び下覆蓋板65cは、報知ランプ51を上側又は下側から覗き見ることができないよう視界を遮るものとなっている（図３参照）。
【００５５】
また、カバー65は、図２（Ａ）に示すように、開く方向が、下扉40とは逆向きになるように取り付けられている。このため、下扉40を一定角度以上開放しないと、カバー65が下扉40に衝突してしまう。従って、カバー65を全開して報知ランプ51を正面側から視認するためには、下扉40を全開するか、全開に近い状態まで開く必要があり（図２（Ａ）の一点鎖線参照）、不正に扉を開けての操作は行い難くなる。
さらに、特に図示しないが、電源ユニット4の内部には、カバー65の開閉を検知するためのカバー開閉検知装置69（図４参照）が設けられている。このカバー開閉検知装置69は、例えば上覆蓋板65b又は下覆蓋板65cの、正面板65aと反対側の端部が、最も奥側に位置したとき（閉じたとき）、あるいは逆に最も外側に位置したとき（開いたとき）にこれを検知するリミットスイッチやフォトセンサなどの検知装置とすることができる。すなわち、カバー65が予め定められた角度だけ開いた場合に、カバー開閉検知装置69がカバー65の開放を検知するようになっている。また、このカバー開閉検知装置69が開放を検知する際のカバー65の回動角度は、正面板65aの裏面（閉じたとき報知装置50と対向する面）が電源ユニット4の正面と平行な状態から、電源ユニット4の正面に対して直角若しくは鈍角となる位置まで回動する程度とするのが好ましい。そして、入力操作装置の入力操作時に、このカバー開閉検知装置69によりカバー65の開放が検知され、かつ、有効化スイッチ66の入力操作時に、このカバー開閉検知装置69によりカバー65の開放が検知された場合には、入力操作装置及び有効化スイッチ66の入力操作が有効なものとして扱われて、設定変更に関する処理が行われる。それ以外の場合には、入力操作装置や有効化スイッチ66の入力操作は有効なものとして扱われず、設定変更に関する処理は行われないようになっている。
【００５６】
ここで、前記カバー65は、設定変更時に手動で開くものとしてもよいが、下扉40の開放と連動して自動的に開放するように形成してもよいものである。例えば、回転軸67にコイルバネを設けて常時カバー65を開く方向に付勢しておき、閉扉時は扉に当接してカバー65は閉じているが、下扉40をある程度開くと、バネの反発力によりカバー65が回動して開き、報知ランプ51が視認可能となるようにすることができる。
（設定変更操作手順）
本実施の形態に係るスロットマシンＳの設定変更の操作手順を説明する。
(1)設定変更許可処理（設定変更の開始）
まず、電源スイッチ63をＯＦＦにして、設定キースイッチ62に所定のキーを差し込んでＯＮにする。それから電源スイッチ63をＯＮにすることにより、スロットマシンＳが設定変更モードに切り替わる。このとき、複数の数値表示部32のうちいずれかの数値表示部32に、現在の設定値が、例えば「−３−」のように表示される。
【００５７】
(2)設定値変更処理（設定値の選択）
次に、設定変更スイッチ61を操作することにより、設定値が変更される。変更後の設定値は、数値表示部32に表示される。
(3)設定変更確定処理（設定値の確定）
数値表示部32に設定したい数値が表示されたら、スタートスイッチ47を押下する。これにより、設定値が確定し、数値表示部32の表示が、例えば「５」のように、設定が確定されたことを示す表示に変わる。
(4)遊技開始許可処理（設定変更の終了）
最後に、設定キースイッチ62をＯＦＦに戻す。これにより、設定変更モードが遊技モードに切り替わり、数値表示部32に表示されていた設定値が消灯し、遊技が開始可能な状態となる。
【００５８】
（スロットマシンの設定変更制御）
次に、スロットマシンＳの遊技の設定変更制御について説明する。
本実施の形態においては、スロットマシンＳの遊技の設定変更は、設定変更装置60の操作又は作動に基づいて、制御装置20に設けられた設定変更手段110が制御する。
（制御装置20）
ここで、制御装置20の概略を説明する。
制御装置20は、スタートスイッチ47及びストップスイッチ48の操作により、回転リール23の回転及び停止を制御するための遊技制御装置20Aと、遊技制御装置20Aからの諸信号に基づいて演出を行わせるための演出制御装置20Bを有している。
【００５９】
そして、遊技制御装置20Aは、通常遊技を制御するための通常遊技制御手段70、特別遊技を制御するための特別遊技制御手段80、当選に係る抽選を行うための当選抽選手段90、報知装置50を制御するための報知制御手段100、遊技の設定を変更するための設定変更手段110を有している。遊技制御装置20Aとしては、上記以外の手段を有していてもかまわない。
演出制御装置20Bは、演出用のランプ33やスピーカ35等の表示装置を制御するためのものである。
（入力段）
前記制御装置20の入力段には、図４に示すように、投入スイッチ41、ベットスイッチ45、精算スイッチ46、スタートスイッチ47、ストップスイッチ48、設定キースイッチ62、設定変更スイッチ61、電源スイッチ63、有効化スイッチ66、前扉開閉検知装置68、カバー開閉検知装置69、の１１つのパーツが接続されている。なお、入力段としては、上記したパーツに限定されるものではない。
【００６０】
（出力段）
前記制御装置20の出力段には、図４に示すように、リールユニット23、ホッパーユニット5、数値表示部32、報知ランプ51、演出表示装置36（ランプ33、スピーカ35及び画像表示部34）、の５つのパーツが接続されている。なお、出力段としては、上記したパーツに限定されるものではない。
以下、遊技制御装置20Aの各手段のうち、当選抽選手段90、報知制御手段100、設定変更手段110について、詳細に説明する。
（当選抽選手段90）
当選抽選手段90は、乱数を用いて当選に関する抽選を行うものである。そして、当選抽選手段90による抽選の結果、所定の当選役に当選である場合に当選フラグが成立し、この当選フラグ成立中に、回転リール23の停止図柄の組み合わせが予め定められた入賞の態様と一致したことを条件に入賞し、遊技者にメダルの払い出しや、特別遊技等の利益が付与されるように設定されている。
【００６１】
上記当選抽選手段90は、図４に示すように、大別すると、以下の手段を有している。
（１）抽選テーブル91
（２）判定手段92
（３）設定値対応抽選テーブル取得手段93
なお、当選抽選手段90としては、上記手段に限定されるものではない。
（抽選テーブル91）
抽選テーブル91は、乱数発生手段が発生する乱数の全領域中に、各当選項目の当選領域を有するものである。すなわち、各当選役についての「当選」の領域と、「ハズレ」の領域を有している。
【００６２】
そして、この抽選テーブル91は、特に図示しないが、各々の設定毎に、通常遊技用、特別遊技用などの複数の抽選テーブル91が設けられていて、これらの抽選テーブル91の当選確率を平均したものが、各設定の当選確率となる。従って、設定を変更するときには、設定毎に設けられた前記複数の抽選テーブル91のグループをまるごと変更することになる。
（判定手段92）
判定手段92は、乱数抽出手段が抽出した抽出乱数データと、前記抽選テーブル91を対比し、当選の判定を行うためのものである。具体的には、乱数発生手段がとる乱数の全領域中の各当選項目の当選領域からなる当選判定領域データと、前記抽出乱数データとを照合し、当該抽出乱数データが所定の当選領域に属する場合には当該当選領域に対応する当選を決定し、当該抽出乱数データがいずれの当選領域にも属さない場合には、「ハズレ」の決定をするものである。
【００６３】
（設定値対応抽選テーブル取得手段93）
設定値対応抽選テーブル取得手段93は、設定値に応じた抽選テーブル91のグループからなる設定値対応抽選テーブルを取得するためのものである。すなわち、以下に述べる設定変更手段110からの出力信号に応じ、各設定値毎に設けられた設定値対応抽選テーブルを選択可能に形成されている。そして、設定値対応抽選テーブル取得手段93の取得した設定値対応抽選テーブルに係る抽選テーブル91を用いて前記判定手段92が当選判定を行う。
（報知制御手段100）
報知制御手段100は、設定キースイッチ62からの信号に基づいて、報知ランプ51の点滅を制御するためのものである。すなわち、報知制御手段100は、有効化スイッチ66の操作態様を決定し、その態様を報知ランプ51により指示表示するためのものである。そして、特に図示しないが、報知ランプ51の点滅態様を記憶しているとともに、これらの中からいずれか１の点滅態様を抽選により決定するための点滅態様抽選手段を有している。
【００６４】
次に、報知ランプ51の点滅態様を示す。
図２（Ｂ）に示す３つの報知ランプ51は、大ランプ51A、中ランプ51B、小ランプ51Cの順序で点灯するものであり、大ランプ51Aが点灯したときに有効化スイッチ66を操作するように形成されている。報知制御手段100は、大ランプ51Aの点灯するタイミングとして、「設定キースイッチ62がＯＮのとき、電源スイッチ63をＯＮに操作した直後」、「設定変更モード中に、最初に設定変更スイッチ61を操作した直後」、「設定変更モード中に、スタートスイッチ47を操作した直後」のデータを記憶しており、抽選によりランダムに決定される。また、報知制御手段100は、有効化スイッチ66の操作の継続時間として、「１秒」、「２秒」、「３秒」のデータを記憶しており、抽選によりランダムに決定される。
【００６５】
そして、大ランプ51Aの点灯時に、有効化スイッチ66を抽選で決定された操作時間押し続けると、大ランプ51Aは消灯し、中ランプ51Bが点灯する。さらに、中ランプ51Bは１秒間点灯した後に消灯し、小ランプ51Cが点灯する。ここで、中ランプ51Bの点灯している間に、有効化スイッチ66の操作を止めた場合には、設定変更に関する処理が行われる。また、中ランプ51Bが消灯し、小ランプ51Cが点灯したときに、有効化スイッチ66を操作し続けた場合には、設定変更に関する処理を行わない。
このように、報知ランプ51の点滅態様を固定しないことにより、実際に報知ランプ51を視認しながらスイッチ操作をしないと設定変更ができず、前扉3を僅かに開けて異物を挿入してスイッチ操作を行うことは、ほとんど不可能となる。
【００６６】
なお、図３（Ａ）に示すように、有効化スイッチ66を複数設けた場合、各有効化スイッチ66の操作を各報知ランプ51に対応させることができる。例えば、大ランプ51Aが点灯したときは大スイッチ66Aを操作し、中ランプ51Bが点灯したときは中スイッチ66Bを操作し、小ランプ51Cが点灯したときは小スイッチ66Cを操作すると、設定変更に関する処理が行われるように形成することができる。
また、報知装置50の表示部として、図３（Ｂ）に示す回胴表示装置52を設けた場合には、回胴表示装置52が回転し、「２」の数字が正面に位置したところで、有効化スイッチ66を２回操作すると、設定変更に関する処理が行われるように形成することができる。そして、この回胴表示装置52の報知するタイミングや表示部の表示などを、抽選により決定するようにしてもよい。
【００６７】
（設定変更手段110）
設定変更手段110は、設定変更装置60からの操作信号に基づき、遊技の設定を変更するためのものである。そして、設定変更手段110は、図４に示すように、以下の手段を有している。
（１）設定変更許可手段111
（２）設定値変更手段112
（３）設定値確定手段113
（４）設定変更有効化手段114
なお、設定変更手段110としては、上記（１）乃至（４）の手段に限られない。
【００６８】
（設定変更許可手段111）
設定変更許可手段111は、設定変更許可処理を行うための手段、すなわち、設定キースイッチ62からの信号に基づき、設定変更操作や操作に基づく設定変更に関する制御を可能とさせるためのものである。
具体的には、設定キースイッチ62がＯＮである信号を受信した場合に、スロットマシンの状態を遊技モードから設定変更モードに切り替え、設定変更スイッチ61の操作により実際に設定変更が可能となるように制御を行う。また、設定値の数値表示部32への表示も可能とさせる。
【００６９】
なお、設定変更許可手段111は、設定キースイッチ62がＯＦＦとなることにより設定変更モードを遊技モードに切り替える、遊技開始許可処理を行うための手段としても機能するものである。
（設定値変更手段112）
設定値変更手段112は、設定値変更処理を行うための手段、すなわち、設定変更スイッチ61からの出力信号に基づき、設定に係る数値を変更するためのものである。
具体的には、設定変更スイッチ61が操作され、その操作信号を受信した場合に、１乃至６までの数値のなかから一の数値を決定し、記憶するものである。例えば、設定変更スイッチ61の操作信号を受信するたびに記憶されている数値を順次インクリメントしてゆく。すなわち、設定変更前の設定値が例えば「３」であった場合、設定変更スイッチ61の押圧毎に、「４」「５」「６」と記憶する数値を変え、「６」の次には「１」を記憶する。
【００７０】
また、設定値変更手段112が記憶した数値は、数値表示部32に表示される。
（設定値確定手段113）
設定値確定手段113は、設定変更確定処理を行うための手段、すなわち、設定変更確定入力装置としてのスタートスイッチ47のからの出力信号に基づき、設定に係る数値を確定するためのものである。
具体的には、スタートスイッチ47が操作され、その操作信号を受信した場合に、前記設定値変更手段112が記憶している設定値を、設定に係る数値として決定し、当該数値データを当選抽選手段90に送出する。なお、この数値データに基づいて、設定値対応抽選テーブル取得手段93が設定値に対応する設定値対応抽選テーブルを選択し、使用可能とすることにより、設定変更が行われたものとなる。
【００７１】
（設定変更有効化手段114）
設定変更有効化手段114は、有効化スイッチ66の操作信号を受信するとともに、その操作が前記報知制御手段100の決定した操作態様で操作されたか否かを判定し、所定の操作態様で操作された場合には、設定変更に関する処理が行われ、所定の操作態様で操作されなかった場合には、設定変更に関する処理を行わず、所定のエラー表示を行わせるためのものである。
具体的には、設定変更有効化手段114は、報知ランプ51の大ランプ51Aが点灯中に、有効化スイッチ66の操作信号を受信したかどうかを判定する。有効化スイッチ66の操作信号を受信しなかったと判断した場合には、設定変更に関する処理を行わず、エラー要請信号を出力し、これに基づいて数値表示部32や、演出表示装置36が所定のエラー表示を行う。
【００７２】
一方、有効化スイッチ66の操作信号を受信したと判断した場合には、設定変更有効化手段114は、点滅態様抽選手段により決定された時間（つまり大ランプ51Aが消灯し、中ランプ51Bが点灯するまでの間）、継続して有効化スイッチ66の操作信号を受信したかどうかを判定する。継続して操作信号を受信しなかったと判断した場合には、設定変更に関する処理を行わず、エラー要請信号を出力し、これに基づいて数値表示部32や、演出表示装置36が所定のエラー表示を行う。
一方、継続して操作信号を受信したと判断した場合には、点滅態様抽選手段により決定された時間経過時より、さらに1秒経過後（つまり中ランプ51Bが消灯し、小ランプ51Cが点灯したとき）、有効化スイッチ66の操作信号を受信したかどうかを判断する。有効化スイッチ66の操作信号を受信したと判断した場合には、設定変更に関する処理を行わず、エラー要請信号を出力し、これに基づいて数値表示部32や、演出表示装置36が所定のエラー表示を行う。一方、有効化スイッチ66の操作信号を受信しなかった場合には、各スイッチの操作信号に基づき所定の設定変更制御を行う。
【００７３】
ここで、前扉3が開いていることを記憶しておくためのメモリに立てたビットを、前扉開放フラグとする。前扉開放フラグは、前扉開閉検知装置68が前扉3の開放を検知した場合に成立する。
そして、設定変更有効化手段114は、前扉開放フラグが成立していない場合には、設定変更に関する処理を行わず、所定のエラー表示を行う。すなわち、前扉3が閉じたまま、あるいは十分に開放されていない状態（前扉開放検知装置68が開放検知していない状態）で前記入力操作装置または前記有効化入力装置64の少なくとも一方の入力操作が行われた場合には、設定変更に関する処理を行われず、所定のエラー表示が行われる。
【００７４】
また、カバー65が開いていることを記憶しておくためのメモリに立てたビットを、カバー開放フラグとする。カバー開放フラグは、カバー開閉検知装置69がカバー65の開放を検知した場合に成立する。
そして、設定変更有効化手段114は、カバー開放フラグが成立していない場合には、設定変更に関する処理を行わず、所定のエラー表示を行う。すなわち、カバー65が閉じたまま、あるいは十分に開放されていない状態（カバー開放検知装置69が開放検知していない状態）で前記入力操作装置または前記有効化入力装置64の少なくとも一方の入力操作が行われた場合には、設定変更に関する処理を行われず、所定のエラー表示が行われる。
【００７５】
（設定変更処理）
次に、上記構成を有するスロットマシンＳの設定変更処理を、図５及び図６のフローに基づき説明する。
まず、電源スイッチ63をＯＮにすることにより、設定変更制御がスタートする。
図５におけるステップ１００において、設定キースイッチ62がＯＮとなっているかどうかを判断する。設定キースイッチ62がＯＮでない場合には、そのまま設定変更制御を終了する。すなわち、電源スイッチ63がＯＦＦ状態の時に設定キースイッチ62をＯＮにしておかないと、設定変更モードに移行しない。設定キースイッチ62がＯＮである場合には、次のステップ１０１に進む。
【００７６】
ステップ１０１において、数値表示部32に、スロットマシンＳの現在の設定値を表示する。そして、次のステップ１０２に進む。
ステップ１０２において、報知ランプ51の点滅態様の抽選を行う。そして、次のステップ１０３に進む。
ステップ１０３において、ステップ１０２の抽選の決定に基づき、報知ランプ51の点灯を行うかどうかを判定する。報知ランプ51の点灯を行う場合には、次のステップ１０４に進む。
ステップ１０４において、報知制御手段100に基づく報知処理が行われる。そして、次のステップ１０５に進む。
【００７７】
前記ステップ１０３において、ステップ１０２の抽選の決定に基づき、報知ランプ51の点灯を行わない場合には、ステップ１０５に進む。
ステップ１０５において、設定変更スイッチ61が操作されたかどうかを判断する。設定変更スイッチ61が操作されない場合には、ステップ１０５に戻る。設定変更スイッチ61が操作された場合には、次のステップ１０６に進む。
ステップ１０６において、ステップ１０２の抽選の決定に基づき、報知ランプ51の点灯を行うかどうかを判定する。報知ランプ51の点灯を行う場合には、次のステップ１０７に進む。
【００７８】
ステップ１０７において、報知制御手段100に基づく報知処理が行われる。そして、次のステップ１０８に進む。
前記ステップ１０６において、ステップ１０２の抽選の決定に基づき、報知ランプ51の点灯を行わない場合には、ステップ１０８に進む。
ステップ１０８において、変更された設定値を数値表示部32に表示させる。そして、次のステップ１０９に進む。
ステップ１０９において、設定変更スイッチ61が操作されたかどうかを判断する。設定変更スイッチ61が操作された場合には、ステップ１０８に戻る。設定変更スイッチ61が操作されない場合には、次のステップ１１０に進む。
【００７９】
ステップ１１０において、設定変更確定スイッチ、すなわちスタートスイッチ47が操作されたかどうかを判断する。スタートスイッチ47の操作がされない場合には、ステップ１０９に戻る。つまり、設定の確定の意思表示をしない限り、設定変更制御が継続する。スタートスイッチ47が操作された場合には、次のステップ１１１に進む。
ステップ１１１において、確定した設定値を数値表示部32に表示する。そして、次のステップ１１２に進む。
図６におけるステップ１１２において、ステップ１０２の抽選の決定に基づき、報知ランプ51の点灯を行うかどうかを判定する。報知ランプ51の点灯を行う場合には、次のステップ１１３に進む。
【００８０】
ステップ１１３において、報知制御手段100に基づく報知処理が行われる。そして、次のステップ１１４に進む。
前記ステップ１１２において、ステップ１０２の抽選の決定に基づき、報知ランプ51の点灯を行わない場合には、ステップ１１４に進む。
ステップ１１４において、設定キースイッチ62がＯＦＦになったかどうかを判断する。設定キースイッチ62がＯＦＦでない場合には、ステップ１１４に戻る。設定キースイッチ62がＯＦＦになった場合には、次のステップ１１５に進む、
ステップ１１５において、報知ランプ51の指示表示に従って有効化スイッチ66が操作されたかどうかを判断する。報知ランプ51の指示表示に従って有効化スイッチ66が操作されなかった場合には、所定のエラー処理を行うとともに、設定変更処理を終了する。報知ランプ51の指示表示に従って有効化スイッチ66が操作された場合には、次のステップ１１６に進む。つまり、ステップ１０２の抽選の決定に基づき報知ランプ51の点灯が行われ、後述する報知処理が開始された場合に、報知処理が終了したときは、設定変更に関する処理が行われ、最後まで報知処理が行われなかったときは、設定変更に関する処理は行われない。
【００８１】
ステップ１１６において、前扉開放フラグが成立しているかどうかを判断する。前扉開放フラグがない場合には、所定のエラー処理を行うとともに、設定変更処理を終了する。すなわち、前扉を僅かに開いて入力操作装置及び有効化入力装置64を操作しても、設定変更に関する処理が行われない。前扉開放フラグがある場合、すなわち前扉が十分開いている場合には、次のステップ１１７に進む。
ステップ１１７において、カバー開放フラグが成立しているかどうかを判断する。カバー開放フラグがない場合には、所定のエラー処理を行うとともに、設定変更処理を終了する。すなわち、カバーを僅かに開いて入力操作装置及び有効化入力装置64を操作しても、設定変更に関する処理が行われない。カバー開放フラグがある場合、すなわちカバーが十分開いている場合には、次のステップ１１８に進む。
【００８２】
ステップ１１８において、数値表示部32の設定値の表示を消灯する。そして、設定変更モードを終了し、遊技モードに切り替わる。
（報知処理）
次に、上記構成を有するスロットマシンＳの報知処理を、図７のフローに基づき説明する。報知処理は、上述した設定変更制御のステップ１０２の抽選の決定に基づき、報知ランプ51の点灯を行う場合に開始される。
図７におけるステップ２００において、大ランプ51Aの点灯を行う。そして、次のステップ２０１にすすむ。
【００８３】
ステップ２０１において、有効化スイッチ66がＯＮとなったか、すなわち有効化スイッチ66の操作信号を受信したかどうかを判断する。有効化スイッチ66がＯＮでない場合には、ステップ２０１に戻る。有効化スイッチ66がＯＮとなった場合には、次のステップ２０２に進む。
ステップ２０２において、ステップ１０２の抽選の決定に基づき、タイマーのカウントが開始される。そして、次のステップ２０３に進む。
ステップ２０３において、有効化スイッチ66がＯＦＦとなったかどうか、すなわち有効化スイッチ66の操作信号が無くなったかどうかを判断する。有効化スイッチ66がＯＦＦとなった場合には、次のステップ２０４に進む。
【００８４】
ステップ２０４において、タイマーのカウントを終了し、カウントがリセットされる。そして、ステップ２０１に戻る。
前記ステップ２０３において、有効化スイッチ66がＯＦＦとならなかった場合、つまり有効化スイッチ66が操作し続けられた場合には、ステップ２０５に進む。
ステップ２０５において、タイマーのカウントが、ステップ１０２の抽選により決定した時間を経過したかどうかを判断する。抽選により決定した時間を経過していない場合は、ステップ２０３に戻る。抽選により決定した時間を経過した場合は、次のステップ２０６に進む。
【００８５】
ステップ２０６において、大ランプ51Aを消灯させ、中ランプ51Bの点灯を行う。そして、次のステップ２０７に進む。
ステップ２０７において、タイマーのカウントがリセットされ、新たにカウントが開始される。そして、次のステップ２０８に進む。
ステップ２０８において、タイマーのカウントが、所定の時間を経過したかどうかを判断する。所定の時間を経過していない場合は、ステップ２０８に戻る。所定の時間を経過した場合は、次のステップ２０９に進む。
ステップ２０９において、中ランプ51Bを消灯させ、小ランプ51Cの点灯を行う。そして、次のステップ２１０に進む。
【００８６】
ステップ２１０において、タイマーのカウントがリセットされ、新たにカウントが開始される。そして、次のステップ２１１に進む。
ステップ２１１において、タイマーのカウントが、所定の時間を経過したかどうかを判断する。所定の時間を経過していない場合は、ステップ２１１に戻る。所定の時間を経過した場合は、次のステップ２１２に進む。
ステップ２１２において、小ランプ51Cを消灯させる。そして、次のステップ２１３に進む。
ステップ２１３において、タイマーのカウントを終了し、カウントがリセットされる。そして、報知処理は終了する。
【００８７】
このように、本実施の形態によれば、設定変更手段110は、有効化入力装置64の操作態様が、報知装置50の表示する指示に合致した場合には、入力操作装置の操作入力に基づいて、設定変更に関する処理を行い、一方、有効化入力装置64の操作態様が、報知装置50の表示する指示と合致しない場合には、設定変更に関する処理を行わない。また、報知装置50は、操作態様として、有効化入力装置64の操作のタイミングと、有効化入力装置64の操作の継続時間とを報知する。つまり、報知ランプ51の指示表示に従って有効化スイッチ66を操作すれば、設定変更に関する処理が行われるが、報知ランプ51の指示表示に従って有効化スイッチ66を操作しないと、設定変更に関する処理は行われず、所定のエラー表示が行われる。
【００８８】
また、報知制御手段100は、有効化入力装置64の操作のタイミングを抽選により決定する。つまり、報知ランプ51の点滅はランダムに行われる。
また、報知装置50は、筐体1内部に設けられており、更には、開閉により表示部を露出又は隠蔽可能なカバー65を備えている。また、カバー65は、前扉3の略全開時に開放できるように形成されている。つまり、前扉3を開放し、カバー65を開放しないと、報知ランプ51を視認できない。
また、設定変更手段110は、入力操作装置の入力操作時に前扉開閉検知装置68により前扉3の開放が検知され、かつ、有効化入力装置64の入力操作時にも前扉開閉検知装置68により前扉3の開放が検知された場合には、設定変更に関する処理を行い、それ以外の場合には、設定変更に関する処理を行わない。また、設定変更手段110は、入力操作装置の入力操作時にカバー開閉検知装置69によりカバー65の開放が検知され、かつ、有効化入力装置64の入力操作時にもカバー開閉検知装置69によりカバー65の開放が検知された場合には、設定変更に関する処理を行い、それ以外の場合には、設定変更に関する処理を行わない。つまり、前扉3及びカバー65が双方とも開放されていなければ、有効化スイッチ66及び入力操作装置の操作は有効な操作として扱われず、所定のエラー表示が行われる。
【００８９】
したがって、設定変更の操作に手間がかかり、また、設定変更の操作が一定ではなく、更に、前扉3を僅かに開けて入力操作装置及び有効化入力装置64を操作することができないので、設定変更ゴトを効果的に防止することができる。
なお、本発明は、本実施の形態に限定されるものではなく、本発明の目的を達成できる範囲における変形及び改良なども含むものである。
例えば、本実施の形態では、大ランプ51Aの点灯するタイミング、すなわち有効化スイッチ66を操作するタイミングを、「設定キースイッチ62がＯＮのとき、電源スイッチ63をＯＮに操作した直後」、「設定変更モード中に、最初に設定変更スイッチ61を操作した直後」、「設定変更モード中に、スタートスイッチ47を操作した直後」としたが、本発明の効果を得ることができれば、その他のタイミングで有効化スイッチ66を操作するように設定してもよい。
【００９０】
また、本実施の形態に係る設定変更処理及び報知処理では、有効化スイッチ66の操作のタイミング及び操作の継続時間について判定するように設定したが、有効化スイッチ66の操作回数等について判定するように設定してもよい。
また、本発明は、分離型スロットマシンに限らず、分離型でないスロットマシンにも使用できるものである。また、スロットマシン以外の遊技機、例えば、遊技メダルの代わりにパチンコ球を用いてスロットマシンと同様の遊技を行わせるパロット遊技機に利用することができる。
【図面の簡単な説明】
【００９１】
【図１】本発明の実施の形態に係るスロットマシンを示す分解斜視図である。
【図２】本発明の実施の形態に係る電源ユニットを示す平面図及び正面図である。
【図３】本発明の実施の形態に係る電源ユニットを示す斜視図である。
【図４】本発明の実施の形態に係る制御装置の入力及び出力の概略を示すブロック図である。
【図５】本発明の実施の形態に係るスロットマシンの設定変更処理を示すフローである。
【図６】本発明の実施の形態に係るスロットマシンの設定変更処理を示すフローである。
【図７】本発明の実施の形態に係る報知処理を示すフローである。
【符号の説明】
【００９２】
Ｓ  スロットマシン                  1   筐体
2   交換ユニット                    3   前扉
4   電源ユニット                    5   ホッパーユニット
10  固定装置                        11  開口部
12  中板                            13  開口上部
14  開口下部                        15  底板
16  側板
20  制御装置                        20A 遊技制御装置
20B 演出制御装置                    21  支持体
22  リールユニット                  23  回転リール
24  基板ユニット
30  上扉                            31  図柄表示窓
32  数値表示部                      33  ランプ
34  画像表示部                      35  スピーカ
36  演出表示装置
40  下扉                            41  投入スイッチ
42  メダル投入口                    43  メダル受け皿
44  鍵穴                            45  ベットスイッチ
46  精算スイッチ                    47  スタートスイッチ
48  ストップスイッチ
50  報知装置                        51  報知ランプ
52  回胴表示装置
60  設定変更装置                    61  設定変更スイッチ
62  設定キースイッチ                63  電源スイッチ
64  有効化入力装置                  65  カバー
66  有効化スイッチ                  67  回転軸
68  前扉開閉検知装置                69  カバー開閉検知装置
70  通常遊技制御手段                80  特別遊技制御手段
90  当選抽選手段                    91  抽選テーブル
92  判定手段                        93  設定値対応抽選テーブル取得手段
100 報知制御手段                    110 設定変更手段
111 設定変更許可手段                112 設定値変更手段
113 設定値確定手段                  114 設定変更有効化手段
200 店操作部
【図１】
2006263209.tif 000003
【図２】
2006263209.tif 000004
【図３】
2006263209.tif 000005
【図４】
2006263209.tif 000006
【図５】
2006263209.tif 000007
【図６】
2006263209.tif 000008
【図７】
2006263209.tif 000009